【手続補正書】
【提出日】平成19年1月26日(2007.1.26)
【手続補正１】
【補正対象書類名】明細書
【補正対象項目名】特許請求の範囲
【補正方法】変更
【補正の内容】
【特許請求の範囲】
【請求項１】
複数の撮影モードを有し、該複数の撮影モードから適宜選択した撮影モードにて撮影を行うデジタルカメラであって、ホワイトバランスを補正するための複数の補正ポジションを有し、撮影時に得られるカラー画像信号に基づいて前記複数の補正ポジションから１つの補正ポジションを選択し、該選択した補正ポジションに対応して求めたホワイトバランス補正値に基づいて前記カラー画像信号をホワイトバランス制御するデジタルカメラのオートホワイトバランス制御方法において、
前記複数の補正ポジションから１つの補正ポジションを選択する際に、撮影時に選択した撮影モードが風景モード又は夜景モードの場合には、前記複数の補正ポジションから屋外の光源種に関する補正ポジションを選択可能にし、屋内の光源種に関する補正ポジションを選択不能にしたことを特徴とするデジタルカメラのオートホワイトバランス制御方法。
【請求項２】
撮影時に選択した撮影モードが風景モード又は夜景モードの場合には、蛍光灯及びタングステン電球に関する補正ポジションを選択不能にしたことを特徴とする請求項１のデジタルカメラのオートホワイトバランス制御方法。
【請求項３】
オート撮影モード、風景モード、人物モード、及び夜景モードのうちの２以上の撮影モードを含む複数の撮影モードを有し、該複数の撮影モードから適宜選択した撮影モードにて撮影を行うデジタルカメラであって、ホワイトバランスを補正するための複数の補正ポジションを有し、撮影時に得られるカラー画像信号に基づいて前記複数の補正ポジションから１つの補正ポジションを選択し、該選択した補正ポジションに対応して求めたホワイトバランス補正値に基づいて前記カラー画像信号をホワイトバランス制御するデジタルカメラのオートホワイトバランス制御方法において、
前記複数の補正ポジションから１つの補正ポジションを選択する際に、撮影時に選択した撮影モードに応じて前記複数の補正ポジションから選択可能な補正ポジションを制限し、
前記複数の補正ポジションは、日陰、曇り、晴れ、蛍光灯、及び電球等の各光源種にそれぞれ適したホワイトバランス制御を行う補正ポジションであり、
前記風景モード時には、日陰、曇り、及び晴れに対応する補正ポジションを選択対象とし、前記オート撮影モード及び人物モード時には全ての補正ポジションを選択対象とし、前記夜景モード時には晴れの補正ポジションを選択対象とすることを特徴とするデジタルカメラのオートホワイトバランス制御方法。
【請求項４】
複数の撮影モードから任意の撮影モードを選択する撮影モード選択手段と、
前記撮影モード選択手段によって選択された撮影モードに応じて被写体を撮像し、被写体像を示すカラー画像信号を出力する撮像手段と、
前記撮影モード選択手段によって風景モード又は夜景モードが選択された場合には、ホワイトバランスを補正するための複数の補正ポジションから屋外の光源種に関する補正ポジションを選択可能にし、屋内の光源種に関する補正ポジションを選択不能にする制限手段と、
前記撮像手段から得られるカラー画像信号に基づいて前記制限手段によって制限された補正ポジションから１つの補正ポジションを選択し、この補正ポジションに対応してホワイトバランス補正値を求めるホワイトバランス補正値算出手段と、
前記ホワイトバランス補正値に基づいて前記撮像手段から得られるカラー画像信号のホワイトバランス制御を行うホワイトバランス制御手段と、
を備えたことを特徴とするデジタルカメラ。
【請求項５】
前記制限手段は、前記撮影モード選択手段によって風景モード又は人物モードが選択された場合には、蛍光灯及びタングステン電球に関する補正ポジションを選択不能に制限することを特徴とする請求項４のデジタルカメラ。
【請求項６】
オート撮影モード、風景モード、人物モード、及び夜景モードのうちの２以上の撮影モードから１つの撮影モードを選択する撮影モード選択手段と、
前記撮影モード選択手段によって選択された撮影モードに応じて被写体を撮像し、被写体像を示すカラー画像信号を出力する撮像手段と、
前記撮影モード選択手段によって選択された撮影モードに基づいてホワイトバランスを補正するための複数の補正ポジションから選択可能な補正ポジションを制限する制限手段と、
前記撮像手段から得られるカラー画像信号に基づいて前記制限手段によって制限された補正ポジションから１つの補正ポジションを選択し、この補正ポジションに対応してホワイトバランス補正値を求めるホワイトバランス補正値算出手段と、
前記ホワイトバランス補正値に基づいて前記撮像手段から得られるカラー画像信号のホワイトバランス制御を行うホワイトバランス制御手段と、を備え、
前記複数の補正ポジションは、日陰、曇り、晴れ、蛍光灯、及び電球等の各光源種にそれぞれ適したホワイトバランス制御を行う補正ポジションであり、
前記制限手段によって制限される選択可能な補正ポジションは、前記風景モード時には、日陰、曇り、及び晴れに対応する補正ポジションであり、前記オート撮影モード及び人物モード時には全ての補正ポジションであり、前記夜景モード時には晴れの補正ポジションであることを特徴とするデジタルカメラ。
【請求項７】
前記撮影モード選択手段によって選択された撮影モードに応じて被写体輝度を測定する分割エリアの重み付けを変えて被写体輝度を測定する輝度測定手段を有し、
前記撮像手段は前記輝度測定手段によって測定された被写体輝度に基づいて露出制御することを特徴とする請求項４、５又は６のデジタルカメラ。
【請求項８】
前記輝度測定手段は、前記撮影モード選択手段によって選択された撮影モードに応じて測定した被写体輝度を補正することを特徴とする請求項７のデジタルカメラ。
【請求項９】
前記ホワイトバランス制御手段によってホワイトバランス制御されたカラー画像信号を記録媒体に記録する記録手段を有することを特徴とする請求項４乃至８のいずれかに記載のデジタルカメラ。
【手続補正２】
【補正対象書類名】明細書
【補正対象項目名】０００８
【補正方法】変更
【補正の内容】
【０００８】
【課題を解決するための手段】
前記目的を達成するために、本願請求項１に係る発明は、複数の撮影モードを有し、該複数の撮影モードから適宜選択した撮影モードにて撮影を行うデジタルカメラであって、ホワイトバランスを補正するための複数の補正ポジションを有し、撮影時に得られるカラー画像信号に基づいて前記複数の補正ポジションから１つの補正ポジションを選択し、該選択した補正ポジションに対応して求めたホワイトバランス補正値に基づいて前記カラー画像信号をホワイトバランス制御するデジタルカメラのオートホワイトバランス制御方法において、前記複数の補正ポジションから１つの補正ポジションを選択する際に、撮影時に選択した撮影モードが風景モード又は夜景モードの場合には、前記複数の補正ポジションから屋外の光源種に関する補正ポジションを選択可能にし、屋内の光源種に関する補正ポジションを選択不能にしたことを特徴としている。
【手続補正３】
【補正対象書類名】明細書
【補正対象項目名】０００９
【補正方法】変更
【補正の内容】
【０００９】
本願請求項２に示すように、撮影時に選択した撮影モードが風景モード又は夜景モードの場合には、蛍光灯及びタングステン電球に関する補正ポジションを選択不能にしたことを特徴としている。
また、本願請求項３に係る発明は、オート撮影モード、風景モード、人物モード、及び夜景モードのうちの２以上の撮影モードを含む複数の撮影モードを有し、該複数の撮影モードから適宜選択した撮影モードにて撮影を行うデジタルカメラであって、ホワイトバランスを補正するための複数の補正ポジションを有し、撮影時に得られるカラー画像信号に基づいて前記複数の補正ポジションから１つの補正ポジションを選択し、該選択した補正ポジションに対応して求めたホワイトバランス補正値に基づいて前記カラー画像信号をホワイトバランス制御するデジタルカメラのオートホワイトバランス制御方法において、前記複数の補正ポジションから１つの補正ポジションを選択する際に、撮影時に選択した撮影モードに応じて前記複数の補正ポジションから選択可能な補正ポジションを制限し、前記複数の補正ポジションは、日陰、曇り、晴れ、蛍光灯、及び電球等の各光源種にそれぞれ適したホワイトバランス制御を行う補正ポジションであり、前記風景モード時には、日陰、曇り、及び晴れに対応する補正ポジションを選択対象とし、前記オート撮影モード及び人物モード時には全ての補正ポジションを選択対象とし、前記夜景モード時には晴れの補正ポジションを選択対象とすることを特徴としている。
【手続補正４】
【補正対象書類名】明細書
【補正対象項目名】００１１
【補正方法】変更
【補正の内容】
【００１１】
本願請求項４に係るデジタルカメラは、複数の撮影モードから任意の撮影モードを選択する撮影モード選択手段と、前記撮影モード選択手段によって選択された撮影モードに応じて被写体を撮像し、被写体像を示すカラー画像信号を出力する撮像手段と、前記撮影モード選択手段によって風景モード又は夜景モードが選択された場合には、ホワイトバランスを補正するための複数の補正ポジションから屋外の光源種に関する補正ポジションを選択可能にし、屋内の光源種に関する補正ポジションを選択不能にする制限手段と、前記撮像手段から得られるカラー画像信号に基づいて前記制限手段によって制限された補正ポジションから１つの補正ポジションを選択し、この補正ポジションに対応してホワイトバランス補正値を求めるホワイトバランス補正値算出手段と、前記ホワイトバランス補正値に基づいて前記撮像手段から得られるカラー画像信号のホワイトバランス制御を行うホワイトバランス制御手段と、を備えたことを特徴としている。
【手続補正５】
【補正対象書類名】明細書
【補正対象項目名】００１２
【補正方法】変更
【補正の内容】
【００１２】
本願請求項５に示すように、前記制限手段は、前記撮影モード選択手段によって風景モード又は人物モードが選択された場合には、蛍光灯及びタングステン電球に関する補正ポジションを選択不能に制限することを特徴としている。
本願請求項６に係る発明は、オート撮影モード、風景モード、人物モード、及び夜景モードのうちの２以上の撮影モードから１つの撮影モードを選択する撮影モード選択手段と、前記撮影モード選択手段によって選択された撮影モードに応じて被写体を撮像し、被写体像を示すカラー画像信号を出力する撮像手段と、前記撮影モード選択手段によって選択された撮影モードに基づいてホワイトバランスを補正するための複数の補正ポジションから選択可能な補正ポジションを制限する制限手段と、前記撮像手段から得られるカラー画像信号に基づいて前記制限手段によって制限された補正ポジションから１つの補正ポジションを選択し、この補正ポジションに対応してホワイトバランス補正値を求めるホワイトバランス補正値算出手段と、前記ホワイトバランス補正値に基づいて前記撮像手段から得られるカラー画像信号のホワイトバランス制御を行うホワイトバランス制御手段と、を備え、前記複数の補正ポジションは、日陰、曇り、晴れ、蛍光灯、及び電球等の各光源種にそれぞれ適したホワイトバランス制御を行う補正ポジションであり、前記制限手段によって制限される選択可能な補正ポジションは、前記風景モード時には、日陰、曇り、及び晴れに対応する補正ポジションであり、前記オート撮影モード及び人物モード時には全ての補正ポジションであり、前記夜景モード時には晴れの補正ポジションであることを特徴としている。